(57)【特許請求の範囲】
【請求項１】
乗り物に搭載される無線通信機器であって、
ネットワークと無線通信を行う無線通信部と、
通信事業者から提供されるサービスの契約に関する情報が記録された情報カードと、
前記サービスの契約または解約を行う際に、前記ネットワークから送信された前記契約の要求または前記解約の要求に応じて、前記情報カードに記録された情報を書き換える制御部と、を備え、
前記制御部は、前記ネットワークから送信された前記解約の要求に応じて、前記情報カードの情報に対して解約状態を書き込み、
前記制御部は、前記通信事業者が提供するネットワークを用いる発信の要求を受け付けたとき、前記情報カードから前記サービスの契約に関する情報を取得し、前記情報が解約状態であった場合、前記発信を拒否する無線通信機器。
【請求項２】
前記制御部は、前記情報が解約状態であった場合でも、緊急事態における発信であった場合、当該発信を行う請求項１に記載の無線通信機器。
【請求項３】
前記制御部は、前記情報が解約状態である場合、前記ネットワークの通信が制限されつつ、前記ネットワークから送信される情報の受信または契約の要求を受け付ける請求項１に記載の無線通信機器。
【請求項４】
前記制御部は、前記情報が解約状態である場合、前記ネットワークの通信が制限されつつ、前記ネットワークと異なるネットワークから送信される情報の受信または契約の要求を受け付ける請求項１に記載の無線通信機器。
【請求項５】
前記制御部は、前記情報が解約状態であった場合でも、前記乗り物の異常を検知したときの発信であった場合、当該発信を行う請求項３又は４に記載の無線通信機器。
【請求項６】
請求項１に記載の無線通信機器が搭載された乗り物。
【請求項７】
ネットワークと無線通信を行う無線通信部と、
通信事業者から提供されるサービスの契約に関する情報が記録された情報カードと、を備え、乗り物に搭載される無線通信機器の制御方法であって、
前記サービスの解約を行う際に、前記ネットワークから送信された前記解約の要求に応じて、前記情報カードに記録された情報を書き換えるステップと、
前記通信事業者が提供するネットワークを用いる発信の要求を受け付けたとき、前記情報カードから前記サービスの契約に関する情報を取得し、前記情報が解約状態であった場合、前記発信を拒否するステップと、を有する無線通信機器の制御方法。
【請求項８】
乗り物に搭載される無線通信機器と、
通信事業者が提供するネットワークとを有する無線通信システムであって、
前記無線通信機器が、
前記ネットワークと無線通信を行う無線通信部と、
前記通信事業者から提供されるサービスの契約に関する情報が記録された情報カードと、
前記サービスの契約または解約を行う際に、前記ネットワークから送信された前記契約の要求または前記解約の要求に応じて、前記情報カードに記録された情報を書き換える制御部と、を備え、
前記制御部は、前記ネットワークから送信された前記解約の要求に応じて、前記情報カードの情報に対して解約状態を書き込み、
前記制御部は、前記通信事業者が提供するネットワークを用いる発信の要求を受け付けたとき、前記情報カードから前記サービスの契約に関する情報を取得し、前記情報が解約状態であった場合、前記発信を拒否する無線通信システム。
【発明の詳細な説明】
【技術分野】
【０００１】
本開示は、ＳＩＭカードのような情報カードを用いた無線通信機器、無線通信機器の制御方法および無線通信システムに関する。
【背景技術】
【０００２】
３ＧＰＰ（3rd Generation Partnership Project）に準拠した無線通信機器では、通信事業者（オペレータまたは通信キャリアともいう）から提供されるＳＩＭカード（Subscriber Identity Module Card）またはＵＩＭ（User Identity Module）カード（これらを以下、単にＳＩＭカードという）が無線通信機器に装着されて使用されるものがある。【０００３】
ＳＩＭカードは、無線通信機器の契約者（ユーザ）情報および契約したサービスなどが記憶されたＩＣカードである。ユーザは、ＳＩＭカードが装着された無線通信機器を使用することで、契約したサービスを利用することができる（例えば、特許文献１参照）。
【先行技術文献】
【特許文献】
【０００４】
【特許文献１】日本国特開２０１６−１１１４０９号公報
【発明の概要】
【発明が解決しようとする課題】
【０００５】
本開示は、無線通信機器を使用するユーザの契約または解約を行う際に、無線通信機器の無線通信を適切に処理することができる無線通信機器、無線通信機器の制御方法および無線通信システムを提供するものである。
【課題を解決するための手段】
【０００６】
本開示の無線通信機器は、ネットワークと無線通信を行う無線通信部と、通信事業者から提供されるサービスの契約に関する情報が記録された情報カードと、前記サービスの契約または解約を行う際に、前記ネットワークから送信された前記契約の要求または前記解約の要求に応じて、前記情報カードに記録された情報を書き換える制御部と、を備えた構成を有する。【０００７】
本開示の無線通信機器において、前記制御部は、前記通信事業者が提供するネットワークを用いる発信の要求を受け付けたとき、前記情報カードから前記サービスの契約に関する情報を取得し、前記情報が解約状態であった場合、前記発信を拒否してもよい。  【０００８】
本開示の無線通信機器において、前記制御部は、前記情報が解約状態であった場合でも、緊急事態における発信であった場合、当該発信を行ってもよい。【０００９】
本開示の無線通信機器において、前記制御部は、前記情報が解約状態である場合、前記ネットワークの通信が制限されてもよい。【００１０】
本開示の無線通信機器において、前記制御部は、前記ネットワークから送信される情報の受信または契約の要求を受け付けてもよい。【００１１】
本開示の無線通信機器において、前記制御部は、前記ネットワークと異なるネットワークから送信される情報の受信または契約の要求を受け付けてもよい。【００１２】
本開示の無線通信機器において、前記制御部は、前記情報が解約状態であった場合でも、前記乗り物の異常を検知したときの発信であった場合、当該発信を行ってもよい。【００１３】
本開示の乗り物は、上記の無線通信機器を搭載してもよい。【００１４】
本開示の無線通信機器の制御方法は、ネットワークと無線通信を行う無線通信部と、
通信事業者から提供されるサービスの契約に関する情報が記録された情報カードと、を備え、乗り物に搭載される無線通信機器の制御方法であって、前記サービスの解約を行う際に、前記ネットワークから送信された前記解約の要求に応じて、前記情報カードに記録された情報を書き換えるステップを有する。【００１５】
本開示の無線通信システムは、乗り物に搭載される無線通信機器と、通信事業者が提供するネットワークとを有し、前記無線通信機器が、前記ネットワークと無線通信を行う無線通信部と、前記通信事業者から提供されるサービスの契約に関する情報が記録された情報カードと、前記サービスの契約または解約を行う際に、前記ネットワークから送信された前記契約の要求または前記解約の要求に応じて、前記情報カードに記録された情報を書き換える制御部と、を備え、前記制御部は、前記ネットワークから送信された前記解約の要求に応じて、前記情報カードの情報に対して解約状態を書き込む。
【発明の効果】
【００１６】
本開示は、無線通信機器を使用するユーザの契約または解約を行う際に、無線通信機器の無線通信を適切に処理することができる無線通信機器およびその制御方法を提供するものである。
【図面の簡単な説明】
【００１７】
【図１】図１は、本実施の形態に係る無線通信システムの構成図である。
【図２】図２は、本実施の形態に係る無線通信モジュールのブロック図である。
【図３】図３は、本実施の形態に係る無線通信システムの動作を表したシーケンス図である。
【図４】図４は、本実施の形態に係る無線通信モジュールの動作を表すフローチャートである。
【図５】図５は、サービスを契約する場合の本実施の形態に係る無線通信システムの動作を表したシーケンス図である。
【発明を実施するための形態】
【００１８】
以下、本実施の形態について、図面を参照して説明する。
【００１９】
図１は、本実施の形態に係る無線通信システムの構成図である。図１に示した無線通信システムは、無線通信モジュール１０を搭載した車両２０、基地局４Ａおよび基地局４Ｂ、ネットワーク８Ａおよびネットワーク８Ｂ、無線端末１００、管理サーバ６、ならびにセンタサーバ７を有している。
【００２０】
基地局４Ａおよび基地局４Ｂならびにネットワーク８Ａおよびネットワーク８Ｂは、通信事業者Ａによって提供されている。以降、基地局４またはネットワーク８を区別せず説明するときには、単に基地局４またはネットワーク８と記載し、基地局４またはネットワーク８を区別して説明するときには、基地局４Ａ、４Ｂ、またはネットワーク８Ａ、８Ｂと記載する。
【００２１】
基地局４は、ＧＳＭ（登録商標）（Global System for Mobile communications）等の第２世代移動通信システム、ＣＤＭＡ（Code Division Mutlple Access）等の第３世代移動通信システム、またはＬＴＥ（Long Term Evolution）等の第４世代移動通信システムなど如何なる移動通信システムに対応していてもよい。
【００２２】
無線通信モジュール１０は、様々な機能を実現するものである。例えば、車両２０と通信システムとを組み合わせて、リアルタイムに情報サービスを提供するテレマティクスサービスが知られている。テレマティクスサービスでは、ナビゲーションシステムのデータ更新のための地図データやＰＯＩ（point of interest）データをセンタサーバ７からダウンロードする。また、テレマティクスサービスでは、車両搭載機器のダイアグ情報をセンタサーバ７にアップロードする。無線通信モジュール１０は、このようなダウンロードおよびアップロードを、ネットワーク８を介して行っている。
【００２３】
無線通信モジュール１０は、車両２０などの乗り物に搭載される。本実施の形態では、乗り物として車両２０を挙げて説明している。勿論、乗り物は、船舶、列車、または、携帯電話機もしくはスマートフォン等の携帯端末など移動するものであれば如何なるものでもよい。
【００２４】
無線通信モジュール１０は、第２世代移動通信システム、第３世代移動通信システム、または、第４世代移動通信システムに対応していてもよい。無線通信モジュール１０は、無線端末１００と通信することもできる。無線通信モジュール１０は、様々な機能およびユーザが作成したプログラムの実行するための機能も有してもよい。
【００２５】
基地局４またはネットワーク８を運営する通信事業者Ａは、自社と契約したユーザに対し自社の移動体通信サービスを提供している。
【００２６】
図２は、本実施の形態に係る無線通信モジュールのブロック図である。図２に示した無線通信モジュールは、アンテナ１１、無線通信部１２、制御部１３、記憶部１４、インターフェイス（ＩＦ）１５、カード駆動部１６、およびＳＩＭカード１７を有している。
【００２７】
アンテナ１１は、基地局４との間の無線信号を送受信する。
【００２８】
無線通信部１２は、アンテナ１１を介して基地局４と無線通信するためのものである。無線通信部１２は、アナログ信号処理部やデジタル信号処理部を有している。
【００２９】
アナログ信号処理部では、アンテナ１１から受信された無線信号の増幅およびアナログ−デジタル変換処理等を行い、また、デジタル信号処理部から転送されるデジタル信号のデジタル−アナログ変換処理等をアナログの増幅を行い、アンテナ１１を介して送信する。
【００３０】
デジタル信号処理部では、制御部１３から転送されたデータを符号化し、無線信号の通信チャネルで送信できるようにデジタル信号に変換し、また、アナログ信号処理部から転送されたデジタル信号を復号し、復号したデータを制御部１３に転送するようになっている。
【００３１】
制御部１３は、種々のプログラムを実行するＣＰＵ(Central Processing Unit)、ＲＯＭ(Read Only Memory)、ＲＡＭ(Random Access Memory)、バックアップＲＡＭ、Ｉ／Ｏ(Input / Output)等（いずれも図示せず）よりなるマイクロコンピュータを主体として構成され、ＲＯＭに記憶された各種の制御プログラムを実行することで各種の処理を実行するものである。制御部１３は、無線通信部１２を制御する上で必要な処理を実行する。
【００３２】
記憶部１４は、電気的に内容を書き換えることが可能なＥＥＰＲＯＭ（Electronically Erasable and Programmable Read Only Memory）などによって構成され、無線通信部１２を制御する上で必要なプログラムおよび情報を記憶する。
【００３３】
インターフェイス（ＩＦ）１５は、ＵＳＢのＩＦやその他のＩＦ等であり、ディスプレイおよびマイクとスピーカ、またはナビゲーションシステム等に接続される。
【００３４】
カード駆動部１６は、ＳＩＭカード（またはＵＩＭカード）と呼ばれるＩＣカード、すなわち情報カードを駆動するようになっている。カード駆動部１６は、ＳＩＭカード１７を取り込み、取り出しができるようにしてもよい。カード駆動部１６は、制御部１３から設定情報の読み出しや書き込みを受けた場合、ＳＩＭカード１７に記録された設定情報の読み出し、ＳＩＭカード１７への書き込みを行うようになっている。
【００３５】
一般に、ＳＩＭカードは、加入者を特定するための情報、通信事業者を特定するための事業者特定情報、および加入者が契約している利用可能なサービスに関する情報などが記録されたＩＣカードである。
【００３６】
ＳＩＭカード１７は、組み込み型のeSIM(Embedded SIM)でもよい。また、ＳＩＭカード１７は、通信事業者から支給されてもよいし、その他の手段で入手してもよい。ユーザは、支給されたＳＩＭカード１７を無線通信モジュール１０に装着することで、無線通信モジュール１０を使用できるようになる。
【００３７】
ＳＩＭカードは、サービスを受ける上で必要な設定情報が記録されている。例えば、位置情報を登録する際の情報、電話番号に関する情報など様々な設定情報がある。これらの情報は、ネットワーク８上のサーバに送信される。
【００３８】
以下、本実施の形態に係る無線通信システムの動作について説明する。
【００３９】
例えば、無線通信モジュール１０のユーザの契約が解約される場合、通信事業者は、管理サーバ６からネットワーク８を介して無線通信モジュール１０に、ネットワーク８との接続に対する解放を要求するための通知を行ったとする。このとき、通知される情報には、契約を解約するための理由値が含まれる。理由値は通信事業者に依存し、全ての通信事業者で同じ値とは限らないため、この通知の理由値が適切でない場合、契約が解約されたにも関らず、無線通信モジュール１０は、契約が解約されたとは見なさずに発信を行ってしまう恐れがある。そこで、本実施の形態では、理由値を用いずに無線通信モジュール１０のユーザの契約を解約する動作について説明している。
【００４０】
図３は、本実施の形態に係る無線通信システムの動作を表したシーケンス図である。
【００４１】
まず、無線通信モジュール１０のユーザが通信事業者Ａのサービスを解約する場合、管理サーバ６が、当該サービスの解約処理を行う（ステップＳ１）。このとき、管理サーバ６は、解約を行うためのパラメータ変更要求を無線通信モジュール１０に送信する。例えば、パラメータ変更要求は、３ＧＰＰにて規定されたメッセージで代替え可能なものでもよい。
【００４２】
次に、無線通信モジュール１０がこのパラメータ変更要求を受信すると、制御部１３は、カード駆動部１６を介して、ＳＩＭカード１７に存在する情報（パラメータ）に解約状態を書き込む（ステップＳ２）。詳細には、契約しているのかそれとも解約しているのかを判別できる情報（パラメータ）がＳＩＭカード１７にあり、制御部１３は、この情報に対し解約していることを設定する。
【００４３】
ＳＩＭカード１７に存在する情報（パラメータ）の一例としては、３ＧＰＰの仕様書であるＴＳ３１．１０２において規定されているＥＦＶＧＣＳＳ (Voice Group Call Service Status)がある。このＥＦＶＧＣＳＳの「Activation/Deactivation Flags」のCoding を用いて契約/解約が判別される。例えば、Codingのbitが０か１かに応じて契約状態か解約状態が判別される。
【００４４】
他の一例としては、ＴＳ  ３１．１０２において、規定されている「FDN service 」をdisableに設定して契約状態とし、「FDN service 」をenableに設定して解約状態としてもよい。他の一例としては、ＴＳ３１．１０２において、規定されているＥＦＵＳＴ  (USIM Service Table)の「Services n°(8X-7) to n°(8X) 」の情報を用いて契約状態か解約状態が判別されるようにしてもよい。
【００４５】
なお、無線通信モジュール１０のユーザが通信事業者Ａのサービスを解約したとしても、ＳＩＭカード１７を装着した無線通信モジュール１０の通信機能が停止される訳ではない。通信事業者Ａのサービスの解約状態でも、ネットワーク８および管理サーバ６との通信は可能にしてもよい。また、管理サーバ６ではなくても特別なサーバ（例えば、センターサーバ７）とは通信できる等、通信が制限されるようにしてもよい。
【００４６】
通信事業者Ａのサービスが契約されていない場合、さらに、当該サービスが一度も契約されていない場合を含む解約状態の場合においても、管理サーバ６ではなくても特別なサーバとは通信できる等、通信が制限されるようにしてもよい。例えば、サービスが契約できるよう、無線通信モジュール１０は、ネットワーク８から情報の受信や契約の要求を受け付けることができる。例えば、サービスが契約できるよう、無線通信モジュール１０は、通信事業者Ａのネットワーク８と異なるネットワークから情報の受信や契約の要求を受け付けることができる。通信事業者Ｂのネットワークおよびこのネットワークに接続された基地局があった場合、無線通信モジュール１０は、通信事業者Ｂの基地局およびネットワークを介して情報の受信や契約の要求を受け付けることができる。通信事業者Ａの通信圏外に車両２０が移動しても、通信事業者Ａのネットワーク８と異なるネットワークから情報の受信や契約の要求を受け付けることで、契約処理の利便性が良くすることができる。
【００４７】
本実施の形態に係る無線通信モジュールの動作について説明する。図４は、本実施の形態に係る無線通信モジュールの動作を表すフローチャートである。
【００４８】
まず、無線通信モジュール１０は、通信事業者Ａが提供するネットワーク８を用いる発信の要求を受け付ける（ステップＳ１１）。発信は、電話の発信およびデータ通信などを含む。例えば、無線通信モジュール１０が発信する場合は、ユーザが誰かに電話する場合、または、テレマティクスサービスなどでデータ通信を行う場合などである。
【００４９】
次に、制御部１３は、ユーザが契約しているのかそれとも解約しているのかを判別できる情報（パラメータ）をＳＩＭカード１７から取得する（ステップＳ１２）。制御部１３は、この情報からユーザが通信事業者Ａのサービスを解約しているか否かを判定する（ステップＳ１３）。
【００５０】
制御部１３は、解約の場合において発信を拒否する（ステップＳ１４）。ここで、解約の場合とは、サービスが契約されていない場合を含み、さらに当該サービスが一度も契約されていない場合も含む。制御部１３は、解約ではない場合（契約の場合）において発信を実行する（ステップＳ１５）。
【００５１】
ステップＳ１４では、制御部１３は、解約の場合において発信を拒否していたが、特別な状況における発信であれば、発信してもよい。特別な状況とは、例えば、交通事故等の緊急事態が発生してユーザがセンタに通報する場合であり、または、交通事故などで無線通信モジュール１０が搭載された車両２０の異常などを検知した際に無線通信モジュール１０がセンタ（例えば、センタサーバ７）に通報する場合である。このような場合では、制御部１３は、発信を拒否しないで発信するようにしてもよい。
【００５２】
以上説明したように、本実施の形態に係る無線通信システムでは、サービスの解約の際にネットワーク８との接続に対する解放を要求するための理由値の通知を行った形態と比較して、理由値の通知の場合では、サービスの解約状態でも発信がなされることがあるが、確実に発信することを抑制することができ、無駄な発信を行わなくても済む。
【００５３】
本実施の形態に係る無線通信システムにて、無線通信モジュール１０のユーザが通信事業者Ａのサービスを契約する場合について説明する。ここでは、無線通信モジュール１０のユーザが通信事業者Ａのサービスに契約していない状態かつＳＩＭカード１７が無線通信モジュール１０に装着された状態、または、予め組み込まれた状態でユーザがサービスを契約する場合について説明している。
【００５４】
図５は、サービスを契約する場合の本実施の形態に係る無線通信システムの動作を表したシーケンス図である。
【００５５】
まず、無線通信モジュール１０のユーザが通信事業者Ａのサービスを契約する場合、管理サーバ６が、無線通信モジュール１０のユーザの契約処理を行う（ステップＳ３）。このとき、管理サーバ６は、ユーザの契約を行うためのパラメータ変更要求を無線通信モジュール１０に送信する。例えば、パラメータ変更要求は、３ＧＰＰにて規定されたメッセージで代替え可能なものでもよい。
【００５６】
次に、無線通信モジュール１０がこのパラメータ変更要求を受信すると、制御部１３は、カード駆動部１６を介して、ＳＩＭカード１７に存在する情報に契約状態を書き込む（ステップＳ４）。詳細には、契約しているのかそれとも解約しているのかを判別できる情報（パラメータ）がＳＩＭカード１７にあり、制御部１３は、この情報に対し契約していることを設定する。
【００５７】
契約している状態で、無線通信モジュール１０が発信の要求を受け付けた場合、図４で説明したように、ステップＳ１５にて、制御部１３は、発信を実行する。
【００５８】
このように、無線通信モジュール１０は、ＳＩＭカード１７が無線通信モジュール１０に装着された状態で、または、予め組み込まれた状態で通信事業者Ａのサービスに契約することができるため、利便性が高くなる。
【００５９】
以上説明したように、本実施の形態に係る無線通信システムでは、無線通信モジュール１０は、サービスの解約状態では発信を行うことができなくても、無線通信モジュール１０とネットワーク８および管理サーバ６と通信は可能であるため、管理サーバ６から無線通信モジュール１０を契約状態にすることはできる。
【００６０】
本出願は、2017年１月２５日付で出願された日本国特許出願（特願2017-010945）に基づくものであり、その内容はここに参照として取り込まれる。
【産業上の利用可能性】
【００６１】
本開示は、無線通信機器を使用するユーザの契約または解約を行う際に、無線通信機器の無線通信を適切に処理することができる無線通信機器、無線通信機器の制御方法および無線通信システムを提供することができる。
【符号の説明】
【００６２】
４  基地局
８  ネットワーク
６  管理サーバ
７  センタサーバ
１０  無線通信モジュール
１１  アンテナ
１２  無線通信部
１３  制御部
１４  記憶部
１５  ＩＦ
１６  カード駆動部
１７  ＳＩＭカード
２０  車両
１００  無線端末
【図１】
0006773814.tif 000002
【図２】
0006773814.tif 000003
【図３】
0006773814.tif 000004
【図４】
0006773814.tif 000005
【図５】
0006773814.tif 000006